(57)【要約】    【課題】意図しないタッチ等による誤った入力操作を抑制できると共にアナログ的な要素を有するタッチ入力装置における入力処理方法及び移動通信端末機を提供する。    【解決手段】移動通信端末機100は、ディスプレイ部40としてのタッチスクリーンと、該タッチスクリーンを介した入力処理に基づいて所定の機能を実行する制御部50と、を備える。制御部50は、前記タッチスクリーン上に複数のソフトキーを表示させると共に、該複数のソフトキーのうちのいずれかのキーがタッチされてそのタッチ位置がスライド移動されることによって、該タッチされたキーに割り当てられた機能を実行する。【選択図】図１
2008217791.tif 000002
【特許請求の範囲】
【請求項１】
タッチ入力装置による入力処理方法であって、
画面上に複数のソフトキーを表示する段階と、
前記複数のソフトキーのうちのいずれかのキーがタッチされてそのタッチ位置がスライド移動されることによって、該タッチされたキーに割り当てられた機能の実行命令を判定する段階と、
含むことを特徴とするタッチ入力装置による入力処理方法。
【請求項２】
前記実行命令を判定する段階は、前記タッチ位置が前記画面上の予め設定された所定位置までスライド移動されたとき、前記タッチ位置が予め設定された所定量以上スライド移動されたとき、又は、前記タッチ位置がスライド移動された後にタッチが解除されてから予め設定された所定時間以上他のソフトキーがタッチされないときに、該タッチされたキーに割り当てられた機能の実行命令を判定することを特徴とする請求項１記載のタッチ入力装置による入力処理方法。
【請求項３】
前記複数のソフトキーを表示する段階は、各ソフトキーが相互に所定の間隔を有して全体として円又は楕円を描くように配置された複数のソフトキーを表示し、
前記実行命令を判定する段階は、前記タッチ位置が前記複数のソフトキーの配置方向に沿ってスライド移動されることによって、該タッチされたキーに割り当てられた機能の実行命令を判定することを特徴とする請求項１又は請求項２記載のタッチ入力装置による入力処理方法。
【請求項４】
前記タッチされたキーに対応する数字、記号若しくは文字、及び、前記タッチされたキーに割り当てられた機能に関する情報の少なくとも一方を表示する段階を更に含むことを特徴とする請求項１〜３のいずれか１つに記載のタッチ入力装置による入力処理方法。
【請求項５】
前記タッチされたキーが、前記タッチ位置のスライド移動に合わせて移動したように表示する段階を更に含むことを特徴とする請求項１〜４のいずれか１つに記載のタッチ入力装置による入力処理方法。
【請求項６】
前記複数のソフトキー全体が、前記タッチ位置のスライド移動に合わせて移動したように表示する段階を更に含むことを特徴とする請求項５記載のタッチ入力装置による入力処理方法。
【請求項７】
前記割り当てられた機能は、ダイヤリング機能、メッセージ作成機能、検索機能及びインターネット接続機能のうちのいずれかの機能であることを特徴とする請求項１〜６のいずれか１つに記載のタッチ入力装置による入力処理方法。
【請求項８】
前記タッチ位置が前記所定位置までスライド移動されたときに、音又は振動を発生する段階を更に含むことを特徴とする請求項２〜７のいずれか１つに記載のタッチ入力装置による入力処理方法。
【請求項９】
前記複数のソフトキーを表示する段階は、各ソフトキーが相互に所定の間隔を有して全体として円を描くように配置された複数のソフトキーと、該複数のソフトキーに対応して設けられるリング状のダイヤル部と、前記各ソフトキーから離れて設けられ前記複数のソフトキーの配置方向の所定位置に固定表示される固定部と、を含むダイヤルメニューを表示し、
前記実行命令を判定する段階は、前記タッチ位置が前記複数のソフトキーの配置方向に沿って前記固定部までスライド移動したときに、該タッチされたキーに割り当てられた機能の実行命令を判定することを特徴とする請求項２〜８のいずれか１つに記載のタッチ入力装置による入力処理方法。
【請求項１０】
前記実行命令を判定する段階は、前記タッチ位置が前記固定部までスライド移動されたときに、該タッチされたキーに対応する数字を最後の番号とする電話番号又は該タッチされたキーに登録された電話番号への通話連結命令を判定することを特徴とする請求項９記載のタッチ入力装置による入力処理装置。
【請求項１１】
前記タッチ位置のスライド移動に従って前記ダイヤル部が回転するように表示する段階、前記タッチ位置のスライド移動に従って前記複数のソフトキー全体が回転するように表示する段階、又は、前記タッチ位置のスライド移動に従って該タッチされたキーが移動するように表示する段階を含むことを特徴とする請求項９又は請求項１０記載のタッチ入力装置による入力処理装置。
【請求項１２】
タッチが解除されると、前記タッチされたキーを初期状態の位置に表示することを特徴とする請求項５〜１１のいずれか１つに記載のタッチ入力装置による入力処理方法。
【請求項１３】
タッチが解除されると、前記タッチされたキーがタッチ解除位置から移動して前記初期状態の位置に復帰するように表示することを特徴とする請求項１２記載のタッチ入力装置による入力処理方法。
【請求項１４】
前記タッチ位置のスライド移動量が前記所定量以上であるか否かを判定する段階を更に含み、
前記実行命令を判定する段階は、前記タッチ位置のスライド移動量が前記所定量以上であるときに前記タッチされたキーに割り当てられた機能の実行命令を判定することを特徴とする請求項２〜１３のいずれか１つに記載のタッチ入力装置による入力処理方法。
【請求項１５】
前記複数のソフトキーを表示する段階は、前記複数のソフトキーと共に少なくとも１つの機能メニューを表示し、
前記実行命令を判定する段階は、前記タッチ位置が前記機能メニューに移動されると、該機能メニュー及び前記タッチされたキーに応じた機能の実行命令を判定することを特徴とする請求項２〜１４のいずれか１つに記載のタッチ入力装置による入力処理方法。
【請求項１６】
タッチスクリーンと、
前記タッチスクリーンを介した入力処理に基づいて所定の機能を実行する制御部と、
を備え、
前記制御部は、前記タッチスクリーン上に複数のソフトキーを表示させると共に、該複数のソフトキーのうちのいずれかのキーがタッチされてそのタッチ位置がスライド移動されることによって、該タッチされたキーに割り当てられた機能を実行することを特徴とする移動通信端末機。
【請求項１７】
前記制御部は、前記タッチ位置が前記画面上の予め設定された所定位置までスライド移動されたとき、前記タッチ位置が予め設定された所定量以上のスライド移動されたとき、又は、前記タッチ位置がスライド移動された後にタッチが解除されてから予め設定された所定時間以上他のソフトキーがタッチされないときに、該タッチされたキーに割り当てられた機能の実行することを特徴とする請求項１６記載の移動通信端末機。
【請求項１８】
前記制御部は、各ソフトキーが相互に所定の間隔を有して全体として円又は楕円を描くように配置された複数のソフトキーを表示し、
前記タッチ位置が前記複数のソフトキーの配置方向に沿ってスライド移動されることによって、該タッチされたキーに割り当てられた機能を実行することを特徴とする請求項１６又は請求項１７記載の移動通信端末機。
【請求項１９】
前記制御部は、前記タッチされたキーに対応する数字、記号若しくは文字、及び、前記タッチされたキーに割り当てられた機能に関する情報を前記タッチスクリーンに表示さっせることを特徴とする請求項１６〜１８のいずれか１つに記載の移動通信端末機。
【請求項２０】
前記制御部は、前記タッチされたキーが、前記タッチ位置のスライド移動に合わせて移動したように表示させることを特徴とする請求項１６〜１９のいずれか１つに記載の移動通信端末機。
【請求項２１】
前記制御部は、前記複数のソフトキー全体が、前記タッチ位置のスライド移動に合わせて移動したように表示させることを特徴とする請求項２０記載の移動通信端末機。
【請求項２２】
前記割り当てられた機能は、ダイヤリング機能、メッセージ作成機能、検索機能及びインターネット接続機能のうちのいずれかの機能であることを特徴とする請求項１６〜２１のいずれか１つに記載の移動通信端末機。
【請求項２３】
振動を発生する振動発生部又は音を発生する音発生部を備え、
前記制御部は、前記タッチ位置が前記所定位置までスライド移動されたときに、所定音又は所定の振動を発生させることを特徴とする請求項１７〜２２のいずれか１つに記載の移動通信端末機。
【請求項２４】
前記制御部は、各ソフトキーが相互に所定の間隔を有して全体として円を描くように配置された複数のソフトキーと、該複数のソフトキーに対応して設けられるリング状のダイヤル部と、前記各ソフトキーから離れて設けられ前記複数のソフトキーの配列方向の所定位置に固定表示される固定部と、を含むダイヤルメニューを表示し、
前記タッチ位置が前記複数のソフトキーの配置方向に沿って前記固定部までスライド移動されたときに、該タッチされたキーに割り当てられた機能を実行することを特徴とする請求項１７〜２３のいずれか１つに記載の移動通信端末機。
【請求項２５】
前記制御部は、前記タッチ位置が前記固定部までスライド移動されたときに、該タッチされたキーに対応する数字を最後の番号とする電話番号又は該タッチされたキーに登録された電話番号への通話連結を試みることを特徴とする請求項２４記載の移動通信端末機。
【請求項２６】
前記制御部は、前記タッチ位置のスライド移動に従って前記ダイヤル部が回転するように表示させ、前記タッチ位置のスライド移動に従って前記複数のソフトキー全体が回転するように表示させ、又は、前記タッチ位置のスライド移動に従って該タッチされたキーのみが移動するように表示させることを特徴とする請求項２４又は請求項２５記載の移動通信端末機。
【請求項２７】
前記制御部は、タッチが解除されると、前記タッチされたキーを初期状態の位置に表示させることを特徴とする請求項２０〜２６のいずれか１つに記載の移動通信端末機。
【請求項２８】
前記制御部は、タッチが解除されると、前記タッチされたキーがタッチ解除位置から移動して前記初期状態の位置に復帰するように表示させることを特徴とする請求項２７記載の移動通信端末機。
【請求項２９】
前記制御部は、前記タッチ位置のスライド移動量が前記所定量以上であるか否かを判定し、前記タッチ位置のスライド移動量が前記所定量以上であるときに、前記タッチされたキーに割り当てられた機能を実行することを特徴とする請求項１７〜２８のいずれか１つに記載の移動通信端末機。
【請求項３０】
前記制御部は、前記複数のソフトキーと共に少なくとも１つの機能メニューを前記タッチスクリーン上に表示し、
前記タッチ位置が前記機能メニューに移動されると、該機能メニュー及び前記タッチされたキーに応じた機能をすることを特徴とする請求項１７〜２９のいずれか１つに記載の移動通信端末機。
【発明の詳細な説明】
【技術分野】
【０００１】
本発明は、タッチパネルやタッチスクリーン等のタッチ入力装置における入力処理方法及び移動通信端末機に関する。
【背景技術】
【０００２】
デジタル技術の発達によってアナログ技術のデジタル化が急速に進み、ユーザはデジタル技術のもたらす便利さを享受している。例えば、移動通信端末機においてもタッチ入力装置などを利用するものが登場しており、その操作性が向上している。
【発明の開示】
【発明が解決しようとする課題】
【０００３】
しかし、タッチ入力装置では意図しないタッチ等も感知するため、不要な入力操作が行われてしまうことがある。また、デジタル技術の便利さ等を享受しつつ、同時にアナログ的な要素を持つ、いわば感性的製品も望まれている。
本発明は、このような実情に着目し、意図しないタッチ等による誤った入力操作を抑制できると共にアナログ的な要素を有するタッチ入力装置における入力処理方法及びタッチ入力装置を備えた移動通信端末機を提供することを目的とする。
【０００４】
なお、本発明が解決しようとする技術的課題は上記したものに制限されず、当業者であればそれ以外の技術的課題についても以下の記載から理解できるはずである。
【課題を解決するための手段】
【０００５】
本発明は、その一態様としてタッチ入力装置による入力処理方法を提供する。このタッチ入力装置による入力処理方法は、画面上に複数のソフトキーを表示する段階と、前記複数のソフトキーのうちのいずれかのキーがタッチされてそのタッチ位置がスライド移動されることによって、該タッチされたキーに割り当てられた機能の実行命令を判定する段階と、を含む。
【０００６】
また、本発明は、他の態様として移動通信端末機を提供する。この移動通信端末機は、タッチスクリーンと、該タッチスクリーンを介した入力処理に基づいて所定の機能を実行する制御部と、を備え、前記制御部は、前記タッチスクリーン上に複数のソフトキーを表示させると共に、該複数のソフトキーのうちのいずれかのキーがタッチされてそのタッチ位置がスライド移動されることによって、該タッチされたキーに割り当てられた機能を実行することを特徴とする。
【発明の効果】
【０００７】
本発明によると、意図しないタッチ等による誤った入力操作を抑制できると共にアナログ的な要素を有するタッチ入力装置における入力処理方法及び移動通信端末機を提供することができる。
【発明を実施するための最良の形態】
【０００８】
以下、添付図面を参照して本発明の実施形態を説明する。
図１は、本発明の一実施形態に係る移動通信端末機の構成を示すブロック図である。
【０００９】
図１において、本実施形態に係る移動通信端末機100は、無線送受信部10、メモリ部20、入力部30、ディスプレイ部40、制御部50、オーディオ処理部（音発生部）60及び振動子（振動発生部）70を含んで構成される。
【００１０】
無線送受信部10は、図示しない基地局等の間で無線信号を送受信し、移動通信端末機100の通信機能を遂行する。
【００１１】
メモリ部20は、プログラムメモリ及びデータメモリを含んで構成される。プログラムメモリには移動通信端末機100の一般的な動作を制御するためのプログラムが格納される。本実施形態において、プログラムメモリには、例えば待機画面として使用される多様な形態のダイヤルメニューが格納されており、データメモリには、各数字キーを対応させた電話番号（すなわち、各数字キーに対応する数字を短縮番号として登録された電話番号）が格納されている。
【００１２】
入力部30は、数字、記号及び文字情報を入力するための各種ボタン、各種機能等を設定するための機能キー、スクロール方向など特定方向を選択するための方向キーなどを含んで構成される。入力部30としては、方向キーを備えたキーパッド、ジョグダイヤル、タッチスクリーン、ジョイスティックなどが利用できる。
【００１３】
ディスプレイ部40は、ＬＣＤ（Ｌｉｑｕｉｄ Ｃｒｙｓｔａｌ Ｄｉｓｐｌａｙ）又はＯＬＥＤ（Ｏｒｇａｎｉｃ  Ｌｉｇｈｔ  Ｅｍｉｔｔｉｎｇ  Ｄｉｏｄｅ）で構成され、移動通信端末機100によって出力される各種情報、多様なメニュー画面を表示する。また、ディスプレイ部40は、２個以上のディスプレイ装置（例えば、移動通信端末機100の非操作時においても露出する外部ディスプレイ装置、移動通信端末機100の非操作時には露出しない内部ディスプレイ装置）を含むことができる。
【００１４】
本実施形態において、ディスプレイ部40を構成するディスプレイ装置の少なくとも１つはタッチスクリーンを採用する。このタッチスクリーンは、画面上の表示をタッチすることで移動通信端末機100を操作するものであり、タッチ方式で情報が入力され、また、入力された情報をディスプレイする。また、タッチスクリーンは、後述する制御部50によって制御されて所定のダイヤルメニューをディスプレイする。
【００１５】
ダイヤルメニューは、複数の数字キー及び機能キーを含むソフトキーを含み、かかるソフトキーは、全体として円又は楕円を描くように各キーが表示される。また、ダイヤルメニューは、ダイヤル式電話機のダイヤル部に類似する形態で表示されることができる。
【００１６】
制御部50は、移動通信端末機100の全般的な動作を制御する。本実施形態において、例えば、タッチスクリーンに表示されたダイヤルメニュー、より具体的には複数の数字キーのうちのいずれかのキーがユーザによってタッチされてそのタッチ位置がスライド移動されると、制御部50はそのタッチされた数字キーに割り当てられた特定機能を実行するように制御する。
【００１７】
ここで、「特定機能」には、タッチされた数字キーに対応する数字の入力機能をも含む意味である。
また、ダイヤルメニューがダイヤル式電話機のダイヤル部に類似する形態で表示されている場合において、制御部50は、特定のソフトキーがタッチされてそのまま円弧状にスライド操作されると、換言すれば、ダイヤルを回すようにスライド操作されると、タッチ位置の移動に合わせてダイヤルメニューが回転したように表示させるようタッチスクリーン（ディスプレイ部40）を制御する。
【００１８】
オーディオ処理部60は、制御部50によって復号化されたオーディオ信号を、スピーカ（ＳＰＫ）を介して出力（再生）し、また、マイク（ＭＩＣ）から入力されるオーディオ信号を制御部50に出力する機能を遂行する。本実施形態において、タッチスクリーン上のダイヤルメニューがユーザによってタッチされ、そのタッチ位置が所定位置までスライド移動されると、制御部50はオーディオ処理部60を作動させて所定音を出力させる。
【００１９】
振動子70は、制御部50によって制御されることにより、所定時間のあいだ振動を発生する。本実施形態において、タッチスクリーン上のダイヤルメニューがユーザによってタッチされ、そのタッチ位置が所定位置までスライド移動されると、制御部50は振動子70を作動させて振動を発生させる。
【００２０】
以下、本発明の一態様として移動通信端末機のダイヤル方法について説明する。なお、本実施形態に係る移動通信端末機のディスプレイ部はタッチスクリーンで構成されているものとする。
【００２１】
まず、ユーザが待機画面設定メニュー等に入りダイヤルメニューを選択すると、待機画面として設定可能な多様な形態のダイヤルメニューが表示され、これにより、ユーザは自分の所望するダイヤルメニューが待機画面に表示されるように設定することができる。もちろん、待機画面としてではなく、使用する際にダイヤルメニューを表示させることも可能である。
【００２２】
図２Ａ及び図２Ｂは、本実施形態において待機画面等として設定されるダイヤルメニュー例を示している。
【００２３】
図２Ａに示されたダイヤルメニューは、０から９までの数字キー210及び機能キー（ここでは、「＊」、「＃」）215を含む複数のソフトキー220として構成され、各キー（ソフトキー）が相互に所定の間隔を有して全体として円を描くように（円形状）に配置された状態で表示される。ここで、ソフトキー220のうち機能キー215については表示されない場合もある。また、ここではソフトキー220が円形状に配置されたものを説明するが、これに限るものではなく、楕円形状など円形と類似する状態で表示されてもよい。
【００２４】
一方、図２Ｂに示されたダイヤルメニューは、各キーが相互に所定の間隔を有して円形状に配置されたソフトキー220と、該ソフトキー220に対応して設けられるリング状のダイヤル部230と、各キー（ソフトキー）から離れて設けられて複数のソフトキー220の配置方向の所定位置に固定表示される固定部240と、を含んで構成される。ソフトキー220は、図２Ａと同様、０から９までの数字キー210と機能キー（「＊」、「＃」等）215とを含む。ここで、ダイヤル部230及び固定部240のいずれか一方又は双方が表示されない場合もあり、これらがともに表示されない場合には図２Ａに示されたダイヤルメニューと略同一の形態となる。
【００２５】
以下では図２Ｂに示されたダイヤルメニューを選択した場合について説明する。
【００２６】
図３は、ユーザが所定の数字キー（図では「３」）をタッチした場合を示している。
【００２７】
図３に示されるように、ユーザが数字キー210のうちの「３」をタッチしてタッチ位置を移動させると、制御部50はタッチされた数字キー210に対応する数字入力（すなわち、「３」の入力）があったことを認識する。なお、数字キー210は、ユーザの指又はスタイラスペンなどを利用してタッチされる。
【００２８】
制御部50は、数字の入力を認識すると、リング状のダイヤル部230の内側の領域250にタッチされた数字キー210に対応する数字（図では「３」）を表示する。このとき、タッチされた数字キー210がショートカットキー等として設定され、対応するショートカットキー情報がメモリ部20に格納されている場合には、該ショートカットキー情報も併せて表示する。但し、これは一つの例に過ぎず、例えば、タッチされた数字キー210に対応する数字及びショートカットキー情報等のうちのいずれか一方又は双方をダイヤル部230の外側領域に表示されるようにしてもよい。
【００２９】
図４Ａ〜４Ｄは、図２Ｂに示されたダイヤルメニューによる第１の入力処理を示している。具体的には、ユーザが所定の数字キー（図では「３」）をタッチし、そのタッチ位置をダイヤル部230に沿って移動（円弧状にスライド）させて、固定部240に到達する前にタッチを解除した場合、すなわち、タッチ位置が固定部240まで移動されなかった場合を示している。
【００３０】
この場合、制御部50は、タッチされた数字キー210に対応する数字の入力があったと認識する。
【００３１】
図４Ａに示すように、ユーザが所定の数字キー（図では「３」）をタッチし、そのタッチ位置をダイヤル部230に沿って時計方向に移動（円弧状にスライド）させると、制御部50は、図４Ｂに示すように、タッチ位置のスライド移動（すなわち、ユーザのスライド操作）に合わせてダイヤル部230が時計方向に回転したように表示（ダイヤル部230を時計方向にスライド表示）させる。
【００３２】
そして、ユーザがタッチ位置を固定部240まで移動させないでタッチを解除すると、図４Ｃに示すように、ダイヤル部230が反時計方向に回転したように表示（ダイヤル部230を反時計方向にスライド表示）させて図４Ｄに示す初期状態の位置に戻す（表示させる）。
【００３３】
ここで、制御部50は、ダイヤル部230を反時計方向にスライド表示させる速度（すなわち、初期状態の位置に戻す速度）をタッチ解除位置から徐々に高く（速く）するように制御することができる。また、タイヤル部230を反時計方向にスライド表示させる速度はユーザが任意に設定することも可能である。なお、ダイヤル部230を反時計方向にスライド表示させる速度は、ダイヤル部230を時計方向にスライド表示させる速度よりも速くするのが好ましい。
【００３４】
図４Ａ〜図４Ｄを参照すれば、ユーザが所定の数字キー210をタッチし、そのタッチ位置をダイヤル部230に沿って時計方向に移動させた後、数字キー210のタッチが解除されてダイヤル部230が初期状態の位置に復帰する間、ユーザによってタッチされた数字キー210に対応する数字がダイヤル部230の内側の領域250に表示される。また、タッチされた数字キー210がショートカットキーとして設定されている場合には、対応するショートカットキー情報がダイヤル部230の内側の領域250に表示される。但し、これは一例であり、数字及びショートカットキー情報のいずれか一方又は双方がダイヤル部230の外側領域に表示されるようにしてもよい。
【００３５】
図５Ａ〜図５Ｅは、ダイヤルメニューによる第２の入力処理を示している。具体的には、ユーザが所定の数字キー（図では「３」）210をタッチし、そのタッチ位置をダイヤル部230に沿って固定部240まで円弧状にスライド移動させることで通話連結を試みる例を示している。
【００３６】
この場合、図５Ａ及び図５Ｂに示すように、ユーザが所定の数字キー210をタッチしてそのタッチ位置をダイヤル部230に沿って時計方向にスライド移動させると、制御部50は、ユーザのスライド操作に対応してダイヤル部230が時計方向に回転したようにダイヤル部230を時計方向にスライド表示させる。
【００３７】
このとき、ダイヤル部230の内側の領域250には、ユーザによってタッチされた数字キー210に対応する数字「３」が表示される。また、タッチされた数字キー210がショートカットキーとして設定されている場合には、タッチされた数字キー210に対応する数字と、対応するショートカットキー情報とが内側の領域250に表示される。
【００３８】
図５Ｂを参照すれば、ユーザが数字キー210をタッチしてそのタッチ位置を固定部240まで円弧状にスライド移動させると、制御部50は、ユーザから通話連結の要請（ダイヤリング機能の実行要求）があったことを認識する。つまり、制御部50は、所定の数字キー210がタッチされて該タッチ位置が固定部240までスライド移動されることによって、ユーザからの通話連結の要請を認識する。ここで、各数字キー210は、固定部240からダイヤル部230に沿って反時計方向に遠く位置するほど、固定部240に到達するまでのユーザによるタッチ位置のスライド移動距離が長くなるようになっている。
【００３９】
より具体的には、タッチされた数字キー210が短縮ダイヤルキーとして設定されている場合には、制御部50は、タッチされた数字キー210に登録された電話番号で呼接続を行うように制御する。また、タッチされた数字キー210が短縮ダイヤルキーとして設定されていない場合には、制御部50は、ユーザによって入力された電話番号で呼接続を行うように制御する。さらに、このとき呼接続が実行中であることをユーザに知らせるために、タッチスクリーン上に通話メニュー500を表示するようにしてもよい。
【００４０】
また、図５Ｃを参照すれば、ユーザが数字キー210にタッチしてそのタッチ位置を固定部240までスライド移動させると、制御部50は振動子70を制御して振動を発生させる。このとき、移動通信端末機100全体を振動させるようにしてもよいし、移動通信端末機100の一部分を振動させるようにしてもよい。また、振動の発生に代えて又はこれに加えて、制御部50はオーディオ処理部60を制御して特定音（例えば、通話連結の実行を示す音）を出力させることもできる。ここで、発生させる振動の強さや特定音の種類及び大きさなどはユーザによって設定可能としてもよい。
【００４１】
図５Ｄを参照すれば、ユーザが数字キー210にタッチしてそのタッチ位置を固定部240までスライド移動させて該タッチを解除すると、制御部50は、ダイヤル部230が反時計方向に回転したようにダイヤル部230を反時計方向にスライド表示させて、最終的に図５Ｅに示す初期状態の位置に戻す。この反時計方向へのスライド表示速度は、ユーザにタッチ解除時点から徐々に大きくなる。
【００４２】
また、タイヤル部230を反時計方向にスライド表示させる速度はユーザが任意に設定することも可能である。また、ダイヤル部230を反時計方向にスライド表示させる速度は、ダイヤル部230を時計方向にスライド表示させる速度よりも速くするのが好ましい。
なお、ダイヤル部230の内側の領域（又は外側領域）に表示される情報については図４Ａ〜図４Ｄの場合と同様である。
【００４３】
上述した例では、ユーザが所定の数字キー210をタッチしてそのタッチ位置をダイヤル部230に沿って時計方向に固定部240まで円弧状にスライドさせることで通話連結を試みる場合を説明したが、これに制限されない。
【００４４】
例えば、図２Ｂに示されたダイヤルメニューを左右反転させた形のダイヤルメニュー（図６）とすることも可能である。
【００４５】
図６を参照すれば、ユーザは所定の数字キー210にタッチしてそのタッチ位置をダイヤル部230に沿って反時計方向に固定部240まで円弧状にスライドさせることで、タッチした数字キー210に登録された電話番号で、又は、ユーザによって入力された数字による電話番号（すなわち、固定部240までスライド移動させた数字を最後の数字とする電話番号）で通話連結を試みることができる。そして、このダイヤルメニューの左右反転をユーザが設定できるようにすることで、ユーザが利き手（利き腕）に応じてダイヤルメニューを選択することができ、操作性を向上できる。
【００４６】
以上説明した実施形態では、ユーザによるタッチ位置のスライド操作によって、ダイヤル部230が従来のダイヤル式電話機と同様に回転するようにスライド表示させているが、これに限るものではなく、タッチされた所定の数字キー210のみがユーザのスライド操作と共に移動するように表示させてもよいし、ソフトキー220全体がユーザのスライド操作と共に移動するように表示させてもよい。
【００４７】
図７Ａ〜図７Ｄは、タッチされた所定の数字キー210をユーザによるタッチ位置の移動に伴って移動するように表示させる例を示している。
【００４８】
図７Ａに示されるように、ユーザが所定の数字キー（ここでは「３」）210をタッチして、図７Ｂに示されるように、そのタッチ位置をダイヤル部230に沿って時計方向にスライド移動させると、タッチされた数字キー210のみがユーザによるタッチ位置の移動に伴って（ユーザの指の動きに合わせて）移動したように表示される。
【００４９】
そして、図７Ｃに示されるように、ユーザが数字キー210のタッチを解除すると、数字キー210が反時計方向に移動するように表示され、その後、図７Ｄに示すように、初期状態の位置に戻る。ここで、数字キー210のタッチが解除されたときに、反時計方向に移動するように表示させることに代えて、移動先に表示された数字キー210を消滅させて初期の位置に表示させるようにしてもよい。
【００５０】
図８Ａ〜図８Ｄは、ソフトキー220全体をユーザのスライド操作と共に移動するように表示させる例を示している。
【００５１】
図８Ａに示されるように、ユーザが所定の数字キー210をタッチして、図８Ｂに示されるように、そのタッチ位置をダイヤル部230に沿って時計方向に移動させると、数字キー210と機能キー215とを含むソフトキー220全体が、ユーザによるタッチ位置に移動に伴って移動したように表示される。
【００５２】
そして、図８Ｃに示されるように、ユーザが数字キー210のタッチを解除すると、ソフトキー220全体が反時計方向に移動するように表示され、その後、図８Ｄに示すように、初期状態の位置に戻る。
【００５３】
次に、本実施形態に係るダイヤルメニューを利用して２つ以上の数字を入力し又は電話番号を入力して通話連結を試みる方法を説明する。
【００５４】
まず、２つ以上の数字（又は二桁の数字）を入力する場合を説明する。上述したように、ユーザが所定の数字キー（図では「３」）210をタッチしてそのタッチ位置をダイヤル部230に沿ってスライド移動（円弧状にスライド）させたものの、固定部240に到達する前にタッチを解除した場合には、制御部50は、タッチされた数字キー210に対応する数字の入力があったと認識する。
【００５５】
従って、ユーザは所定の数字キー210をタッチした後にそのタッチ位置を少しだけ（固定部240に到達しない）移動することを繰り返すことで、２つ以上の数字を入力することができる。ここで、制御部50が、単に数字キー210をタッチするだけでは数字の入力を認識せず、タッチされた後にそのタッチ位置が移動された場合に数字の入力を認識するようにすれば、誤った数字の入力が大幅に低減されることになる。
【００５６】
次に、２つの数字（すなわち、二桁の数字）を入力して通話連結を試みる場合を説明する。なお、三桁以上の数字についても同様である。
【００５７】
図９Ａ〜図９Ｅは、二桁の短縮番号によって通話連結を試みる方法を説明するための図である。ここでは、ユーザの所望する電話番号が短縮番号「１５」に設定されているものとする。
【００５８】
図９Ａに示されるように、まずユーザは数字キー210のうち「１」をタッチし又はタッチした後にタッチ位置を少しだけ移動させる。すると、制御部50は、数字「１」又はタッチされた「１」の数字キーに対応するショートカットキー情報をダイヤル部230の内側の領域250に表示させる。
【００５９】
引き続き（連続して）、図９Ｂに示されるように、ユーザが数字キー210のうち「５」をタッチし又はタッチした後にタッチ位置を少しだけ移動させると、制御部50は「１５」の数字入力があったと認識し、さらに図９Ｃに示されるように、ユーザが該タッチ位置を固定部240までダイヤル部230に沿って時計方向にスライド移動（円弧状にスライド）させると、制御部50は入力された数字「１５」を短縮番号として登録された電話番号へ通話連結を試みるように制御する。
【００６０】
ユーザが最後の数字キーである「５」へのタッチを解除すると、制御部50は、図９Ｄに示されるように、ダイヤル部230が反時計方向に回転するようにスライド表示させ、その後、図９Ｅに示されるように、初期の状態に復帰させる。
【００６１】
図９Ａ〜図９Ｅに示される方法では、ユーザは通話を望む電話番号又はその短縮番号の最後の数字をタッチして該タッチ位置を固定部240まで移動させることで、当該電話番号への連結接続を試みることができる。
【００６２】
例えば、ユーザが通話を望む電話番号が「０２−５５２−２５４８」であるとすると、ユーザは数字キー210の各数字へのタッチ及びタッチ位置のスライド移動を繰り返して「０２５５２２５４」の数字を連続入力する。このとき、ダイヤル部230の内側の領域250には、入力された数字である「０２５５２２５４」が表示される。
【００６３】
続いて、ユーザが最後の数字である「８」をタッチしてタッチ位置をスライド移動させると、制御部50は「０２５５２２５４８」が入力されたことを認識し、さらにユーザが最後の数字である「８」をタッチしそのタッチ位置を固定部240まで移動させると、制御部50は、入力された数字「０２５５２２５４８」が電話番号であると認識し、該「０２５５２２５４８」への通話連結を試みるように制御する。
【００６４】
すなわち、ユーザは数字キー210をタッチして数字の入力を行い、その最後の数字をタッチしてそのタッチ位置を固定部240まで移動させることで、入力した電話番号又は入力した数字（短縮番号）に対応する電話番号に通話連結を試みることができる。
【００６５】
ここで、二桁の数字が入力される場合には、通話連結の要請であることが確認できるように、短縮番号又は電話番号の最後の数字についてはタッチされてそのタッチ位置が固定部240まで移動されなければならず、最後の数字以外の数字についてはタッチされた後、そのタッチ位置が固定部240まで移動せずにタッチが解除されなければならない。
【００６６】
なお、以上では、ユーザが所定の数字キー210をタッチしてそのタッチ位置をダイヤル部230に沿って固定部240までスライド移動させることで通話連結を試みる場合を説明したが、これとは異なるタッチ及びスライド操作を行うことによって所定の機能が実行されるように構成することも可能である。
【００６７】
図１０Ａは、所定の数字キー210がタッチされてそのタッチ位置がダイヤル部230の内側の領域250にスライド移動される場合を示している。
【００６８】
図１０Ａを参照すれば、所定の数字キー210がタッチされてそのタッチ位置がダイヤル部230の内側の領域250にスライド移動されると、制御部50は、タッチされた数字を短縮番号として登録されている電話番号にメッセージを送信できるように、図１０Ｂに示されるようなメッセージ作成画面510をディスプレイ部40のタッチスクリーン上に表示させる。
【００６９】
あるいは、制御部50は、所定の数字キー210がタッチされてそのタッチ位置がタイヤル部230の外側の領域にスライド移動されると、図１０Ｂに示されるようなメッセージ作成画面510をディスプレイ部40のタッチスクリーン上に表示させるようにしてもよい。
【００７０】
図１１Ａ及び図１１Ｂは、所定の数字キー210がタッチされてそのタッチ位置が特定メニューまでスライド移動される場合を示している。ここでは、ユーザが所定キー210をタッチしてそのタッチ位置をスライド移動させると、タッチされた数字キー210も一緒に移動する。また、タッチスクリーン上のダイヤルメニューの下方には、通話連結を実行する通話メニュー610、メッセージを作成するためのメッセージメニュー620、検索機能を実行する検索メニュー630、及びインターネット接続を実行するインターネットメニュー640が表示されている。
【００７１】
図１１Ａを参照すれば、ユーザが所定の数字キー210（ここでは、「９」）をタッチしてそのタッチ位置を通話メニュー610までスライド移動させると（換言すると、数字キー「９」を通話メニュー610にドラッグ・アンド・ドロップすると）、制御部50は、タッチされた数字「９」を短縮番号として登録されている電話番号に通話連結を試みる。
【００７２】
同様に、ユーザが所定の数字キー210をタッチしてそのタッチ位置をメッセージメニュー620までスライド移動させると（所定の数字キーをメッセージメニュー620にドラッグ・アンド・ドロップすると）、制御部50は、タッチされた数字を短縮番号として登録されている電話番号にメッセージを送信するためのメッセージ作成画面をディスプレイ部40のタッチスクリーン上に表示させる。
【００７３】
また、同様にしてユーザが所定の数字キー210を検索メニュー630にドラッグ・アンド・ドロップすると、制御部50は、タッチされた数字（又は数字キー）に設定（登録）されたフォルダ又はその中身を表示させる。
【００７４】
また、ユーザが所定の数字キー210をインターネットメニュー640にドラッ・アンド・ドロップすると、制御部50は、タッチされた数字（又は数字キー）に設定（登録）されたインターネットアドレス（ＵＲＬ）にインターネット接続を試みる。
【００７５】
なお、上述した通話メニュー610、メッセージメニュー620、検索メニュー630及びインターネットメニュー640は、それぞれアイコンとして表示されることも可能である。
【００７６】
上述した実施形態では、ダイヤルメニュー230と共に表示された固定部240を基準に通話連結を試みる（別の言い方をすれば、通話連結であるか否かが決定される）ようになっているが、本発明の技術思想はここに限定されない。例えば、ユーザによって数字キー210がタッチされてそのタッチ位置がスライド移動されたときに、制御部50は、そのスライド移動の距離が予め設定された閾値以上であるか否かを判定し、該閾値以上の場合にユーザからの通話連結の要求があると認識し、そのスライド移動の距離が閾値よりも小さい場合はタッチされた数字キーに対応する数字入力があったと認識するようにしてもよい。この場合においては、タッチ位置を円弧状にスライド移動させる必要はなく、どのような形態のスライド移動をさせてもよいことになる。
【００７７】
また、他の実施形態として、ダイヤルメニューのような機能が実行されるための基準として、ソフトキーのタッチ解除後の経過時間を考慮するようにしてもよい。例えば、ソフトキーのいずれかが（最後に）タッチされた後、あらかじめ設定された閾値より大きい時間が経過しても他のキーがタッチされない場合に、制御部５０は、タッチされたソフトキーに対応する機能実行命令が入力されたことと判断するようにすることもできる。
【００７８】
さらに他の実施形態として、数字キーを短くタッチした状態でタッチ地点をスライドする場合（すなわち、タッチしてからスライド移動が開始されるまでの時間が短い場合）と、数字キーを長くタッチした状態でタッチ地点をスライドする場合（すなわち、タッチしてからスライド移動が開始されるまでの時間が長い場合）とのそれぞれで異なる機能が実行されるように構成してもよい。一例を挙げれば、数字キーをタッチしてすぐに（所定時間が経過する前に）タッチ地点がスライド移動した場合にはタッチされた数字キーに対応する数字入力があったことを認識し、数字キーをタッチしてある程度時間が経過してから（所定時間経過後に）タッチ地点がスライド移動した場合にはタッチされた数字キーに対応する（短縮電話として登録されている）電話番号で呼設定を実行するように構成する。
【００７９】
当業者であれば以上説明した内容を通じて本発明の技術思想を逸脱しない範囲で多様な変更及び修正が可能であるはずである。したがって、本発明の技術的範囲は明細書の詳細な説明に記載した内容に限定されるもののではなく、特許請求の範囲によって定められるものである。
【図面の簡単な説明】
【００８０】
【図１】実施形態に係る移動通信端末機の構成を示すブロッ図である。
【図２Ａ】同移動通信端末機において待機画面等として設定されたダイヤルメニューの例を示す図である。
【図２Ｂ】同移動通信端末機において待機画面等として設定されたダイヤルメニューの例を示す図である。
【図３】ダイヤルメニュー上の所定の数字をユーザがタッチした場合を示す図である。
【図４Ａ】図２Ｂのダイヤルメニューによる第１の入力操作及びディスプレイの表示態様の一例を示す図である。
【図４Ｂ】図２Ｂのダイヤルメニューによる第１の入力操作及びディスプレイの表示態様の一例を示す図である。
【図４Ｃ】図２Ｂのダイヤルメニューによる第１の入力操作及びディスプレイの表示態様の一例を示す図である。
【図４Ｄ】図２Ｂのダイヤルメニューによる第１の入力操作及びディスプレイの表示態様の一例を示す図である。
【図５Ａ】図２Ｂのダイヤルメニューによる第２の入力操作及びディスプレイの表示態様の一例を示す図である。
【図５Ｂ】図２Ｂのダイヤルメニューによる第２の入力操作及びディスプレイの表示態様の一例を示す図である。
【図５Ｃ】図２Ｂのダイヤルメニューによる第２の入力操作及びディスプレイの表示態様の一例を示す図である。
【図５Ｄ】図２Ｂのダイヤルメニューによる第２の入力操作及びディスプレイの表示態様の一例を示す図である。
【図５Ｅ】図２Ｂのダイヤルメニューによる第２の入力操作及びディスプレイの表示態様の一例を示す図である。
【図６】図２Ｂのダイヤルメニューを左右反転させて表示させたダイヤルメニューを示す図である。
【図７Ａ】ダイヤルメニューによる入力操作時のディスプレイの他の表示態様を示す図である。
【図７Ｂ】ダイヤルメニューによる入力操作時のディスプレイの他の表示態様を示す図である。
【図７Ｃ】ダイヤルメニューによる入力操作時のディスプレイの他の表示態様を示す図である。
【図７Ｄ】ダイヤルメニューによる入力操作時のディスプレイの他の表示態様を示す図である。
【図８Ａ】ダイヤルメニューによる入力操作時のディスプレイの他の表示態様を示す図である。
【図８Ｂ】ダイヤルメニューによる入力操作時のディスプレイの他の表示態様を示す図である。
【図８Ｃ】ダイヤルメニューによる入力操作時のディスプレイの他の表示態様を示す図である。
【図８Ｄ】ダイヤルメニューによる入力操作時のディスプレイの他の表示態様を示す図である。
【図９Ａ】二桁の数字を入力して通話連結を試みる場合を説明するための図である。
【図９Ｂ】二桁の数字を入力して通話連結を試みる場合を説明するための図である。
【図９Ｃ】二桁の数字を入力して通話連結を試みる場合を説明するための図である。
【図９Ｄ】二桁の数字を入力して通話連結を試みる場合を説明するための図である。
【図９Ｅ】二桁の数字を入力して通話連結を試みる場合を説明するための図である。
【図１０Ａ】ダイヤルメニューによる他の入力操作及びディスプレイの表示態様を示す図である。
【図１０Ｂ】ダイヤルメニューによる他の入力操作及びディスプレイの表示態様を示す図である。
【図１１Ａ】ダイヤルメニューによる他の入力操作及びディスプレイの表示態様を示す図である。
【図１１Ｂ】ダイヤルメニューによる他の入力操作及びディスプレイの表示態様を示す図である。
【符号の説明】
【００８１】
10…無線送受信部、20…メモリ部、30…入力部、40…ディスプレイ部、50…制御部、60…オーディオ処理部、100…移動通信端末機、210…数字キー、215…機能キー、220…ソフトキー、230…ダイヤル部、240…固定部、250…内側領域
【図１】
2008217791.tif 000003
【図２Ａ】
2008217791.tif 000004
【図２Ｂ】
2008217791.tif 000005
【図３】
2008217791.tif 000006
【図４Ａ】
2008217791.tif 000007
【図４Ｂ】
2008217791.tif 000008
【図４Ｃ】
2008217791.tif 000009
【図４Ｄ】
2008217791.tif 000010
【図５Ａ】
2008217791.tif 000011
【図５Ｂ】
2008217791.tif 000012
【図５Ｃ】
2008217791.tif 000013
【図５Ｄ】
2008217791.tif 000014
【図５Ｅ】
2008217791.tif 000015
【図６】
2008217791.tif 000016
【図７Ａ】
2008217791.tif 000017
【図７Ｂ】
2008217791.tif 000018
【図７Ｃ】
2008217791.tif 000019
【図７Ｄ】
2008217791.tif 000020
【図８Ａ】
2008217791.tif 000021
【図８Ｂ】
2008217791.tif 000022
【図８Ｃ】
2008217791.tif 000023
【図８Ｄ】
2008217791.tif 000024
【図９Ａ】
2008217791.tif 000025
【図９Ｂ】
2008217791.tif 000026
【図９Ｃ】
2008217791.tif 000027
【図９Ｄ】
2008217791.tif 000028
【図９Ｅ】
2008217791.tif 000029
【図１０Ａ】
2008217791.tif 000030
【図１０Ｂ】
2008217791.tif 000031
【図１１Ａ】
2008217791.tif 000032
【図１１Ｂ】
2008217791.tif 000033